(57)【要約】【課題】船体がサギングホギングしたときにおいて、ブルワークステー破損を簡単かつ安価に防ぐことができる船舶のブルワーク構造を提供する。【解決手段】船舶の甲板Ｄに船舶の舷側に沿って立設された複数のブルワークステー１２と、複数のブルワークステー１２に取り付けられたブルワーク板１１とからなり、ブルワーク板１１が、船舶の舷側に沿って並んで配置された複数枚の板状部材11aから構成されており、隣接する板状部材11aが、船舶の舷側に沿った方向の端部同士が互いに分離した状態で配置されている。各板状部材11aの剛性を高くしても、ブルワーク板１１自体の縦曲げに対する剛性を低くすることができるから、ブルワーク板１１自体の機能を保ちつつ、ブルワークステー１２に加わる曲げ荷重を小さくすることができ、ブルワークステー１２の破損を抑えることができる。【選択図】図１
0003107481.tif 000002
【実用新案登録請求の範囲】
【請求項１】
船舶の甲板に船舶の舷側に沿って立設された複数のブルワークステーと、該複数のブルワークステーに取り付けられたブルワーク板とからなり、
該ブルワーク板が、船舶の舷側に沿って並んで配置された複数枚の板状部材から構成されており、
隣接する板状部材が、船舶の舷側に沿った方向の端部同士が互いに分離した状態で配置されている
ことを特徴とする船舶のブルワーク構造。
【請求項２】
各板状部材が、３〜４本のブルワークステーに取り付けられている
ことを特徴とする請求項１記載の船舶のブルワーク構造。
【考案の詳細な説明】
【技術分野】
【０００１】
本考案は、船舶のブルワーク構造に関する。
【背景技術】
【０００２】
船舶の甲板の舷側には、甲板上の貨物や人が船外に落下することを防ぎ、かつ波が甲板上に打ち上げることを防ぐためにブルワークが設けられている。かかるブルワークは、通常、甲板に舷側に沿って所定の間隔をあけて立設された複数のブルワークステーと、複数のブルワークステー間に取り付けられた平板状のブルワーク板と、ブルワークステーの上部に取り付けられた手すりから構成されている。このブルワークは、１ホールドの舷側に、通常、１５〜１６ｍの長さに形成されたブルワーク板を、約１０本程度のブルワークステーによって支持するように構成される。
【０００３】
水面に浮かんでいる船舶の船体は、波の浮力等の影響により縦曲げされ、船体の中央部が先部が船首・船尾より沈下・浮上した状態、いわゆるサギングホギングされる。このとき、ブルワークに対して船体からブルワークを縦曲げしようとする力が加わる。
しかるに、ブルワーク板は縦曲げに対する剛性が高いため、船体がサギングホギングしてもブルワーク板は船体に追従して変形しない。このため、船体のサギングホギングすると、船体とブルワーク板とをつなぐブルワークステーには、船体とブルワーク板との変形量の差に起因する曲げ荷重が繰り返し加わるので、ブルワークステーが破損するという問題が生じていた。
【０００４】
かかる問題を解決する方向として、ブルワーク板に波状エキスパンションを設ける技術が開示されている（特許文献１）。かかるエキスパンションを設ければ、船体からブルワークに加わる力によって、エキスパンションも変形するから、ブルワークステーに加わる曲げ荷重を小さくすることができる。
【０００５】
しかるに、エキスパンションの剛性に比べてブルワークステーの剛性が弱い場合には、エキスパンションを設けてもブルワークステーに加わる曲げ荷重をそれほど小さくすることはできないの、ブルワークステーの負担をそれほど軽減することはできない。
ブルワーク板自体の強度に比べて大幅に剛性の弱いエキスパンションを設ければ、ブルワークステーに加わる曲げ荷重を大幅に小さくできブルワークステーの負担を大幅に軽減できる可能性はある。しかし、ブルワーク板はその機能を保つためにはある程度の剛性を保つ必要があるため、ブルワーク板とエキスパンションの材質等を変えなければならなくなる。すると、ブルワーク板とエキスパンションを一体成形することができなくなるので、ブルワークの構造が複雑になり、また、ブルワークの製造工数が多くなり、大幅なコストアップにつながる。
【０００６】
【特許文献１】実開平１−１５７０９３号
【考案の開示】
【考案が解決しようとする課題】
【０００７】
本考案は上記事情に鑑み、船体がサギングホギングしたときにおいて、ブルワークステー破損を簡単かつ安価に防ぐことができる船舶のブルワーク構造を提供することを目的とする。
【課題を解決するための手段】
【０００８】
第１考案の船舶のブルワーク構造は、船舶の甲板に船舶の舷側に沿って立設された複数のブルワークステーと、該複数のブルワークステーに取り付けられたブルワーク板とからなり、該ブルワーク板が、船舶の舷側に沿って並んで配置された複数枚の板状部材から構成されており、隣接する板状部材が、船舶の舷側に沿った方向の端部同士が互いに分離した状態で配置されていることを特徴とする。
第２考案の船舶のブルワーク構造は、第１考案において、各板状部材が、３〜４本のブルワークステーに取り付けられていることを特徴とする。
【考案の効果】
【０００９】
第１考案によれば、各板状部材の剛性を高くしても、ブルワーク板全体としてみれば、途中で分離しているため、縦曲げに対する剛性を低くすることができるから、ブルワーク板自体の機能を保ちつつ、ブルワークステーに加わる曲げ荷重を小さくすることができ、ブルワークステーの破損を抑えることができる。しかも、従来のブルワーク板に比べて各板状部材の長さが短くなるので、各板状部材の変形量と船体の変形量の差を小さくでき、ブルワークステーに加わる曲げ荷重を小さくすることができる。しかも、各板状部材間には特別な部材を取り付けないから、ブルワークの製造工数の増加も抑えることができる。
第２考案によれば、各板状部材が３〜４本のブルワークステーに取り付けられているから、各板状部材の剛性が高くなりすぎることを防ぐことができる。また、各板状部材と船体の変形量の差を小さくできるので、各板状部材の剛性を高くしてもブルワークステーに加わる曲げ荷重を小さくすることができる。
【考案を実施するための最良の形態】
【００１０】
つぎに、本考案の実施形態を図面に基づき説明する。
図１（Ａ）は本実施形態のブルワーク構造を採用した船舶における甲板Ｄの要部拡大図であり、（Ｂ）は（Ａ）のＢ−Ｂ線矢視図である。同図において、符号Ｄは船舶の甲板Ｄを示している。この甲板Ｄの上面には、船舶の舷側に沿ってブルワーク１のブルワークステー１２が、所定の間隔、例えば1.4〜1.6ｍ間隔で、複数本立設されている。このブルワークステー１２は、板状の部材であって、その厚さ方向が船舶の前後方向を向くように配設されている。なお、符号１３は、ブルワークステー１２の上部に取り付けられた手すりを示している。
【００１１】
前記ブルワークステー１２には、複数のブルワークステー１２の外端縁を連結するようにブルワーク板１１が取り付けられている。このブルワーク板１１は、長さが３〜５ｍ、高さが1.1ｍである複数枚の板状部材11aから構成されている。この板状部材11aは、その長手方向を船舶の前後方向に向けた状態で、船舶の舷側に沿って並んで配置されており、各板状部材11aが、それぞれ３〜４本のブルワークステー１２に取り付けられている。
【００１２】
そして、隣接する板状部材11aは、船舶の舷側に沿った方向の端部同士、言い換えれば、互いに対向する長手方向の端部同士が、互いに分離した状態で配置されているから、各板状部材11aの剛性を高くしても、ブルワーク板１１全体としてみれば縦曲げに対する剛性を低くすることができる。よって、甲板Ｄ上の貨物等の落下防止というブルワーク板１１自体の機能を保ちつつ、ブルワークステー１２に加わる曲げ荷重を小さくすることができ、ブルワークステー１２の破損を抑えることができる。しかも、隣接する板状部材11a間には特別な部材を取り付けないから、ブルワーク１自体の製造工数の増加も抑えることができる。
なお、隣接する板状部材11aは、両者の端部間の間隔Ｗは約５０ｍｍとなるように配設されているが、船体がサギングホギングしたときに、両者の端部同士が接触せず、かつ、その間から荷物等が落下しない程度に保たれていればよい。
【００１３】
また、ブルワーク板１１を複数枚の板状部材11aから構成したから、従来のブルワーク板の長さが１５〜１６ｍであるのに対し、各板状部材11aは長さＬが３〜６ｍであり、従来のブルワーク板に対して約1/3〜1/5の長さになっている。すると、船体がサギングホギングしたときでも、各板状部材11aと対応する箇所の甲板Ｄの形状を平面に近づけることができるから、各板状部材11aの変形量と船体の変形量との差を小さくでき、ブルワークステー１２に加わる曲げ荷重をより一層小さくすることができる。
なお、各板状部材11aの長さＬを短くしていけば、言い換えれば、ブルワーク板１１を構成する板状部材11aの枚数を多くすれば、各板状部材11aと船体の変形量の差をより一層短くすることができるが、各板状部材11aの長さを短くすればするほど製造工数が著しく増加していくという問題が生じる。よって、各板状部材11aの長さＬを上記のごとき長さとすることによって、ブルワーク１０の製造工数の増加を、船舶の製造において許容できる範囲に抑えることができ、ブルワーク１０の製造に要するコストの増加も抑えることができる。
【００１４】
さらに、ブルワークステー１２は各板状部材11aの補強部材としての機能も有するが、各板状部材11aは３〜４本のブルワークステー１２に取り付けられているだけであるから、板状部材11aの剛性が高くなりすぎることを防ぐことができる。よって、船体と各板状部材11aの剛性の差が大きくなりすぎることを防ぐことができ、ブルワークステー１２の破損を抑えることができる。
【産業上の利用可能性】
【００１５】
本発明の船舶のブルワーク構造は、木材運搬船やコンテナ、バルクなどを荷役する船舶に採用することができる。
【図面の簡単な説明】
【００１６】
【図１】Ａ）は本実施形態のブルワーク構造を採用した船舶における甲板Ｄの要部拡大図であり、（Ｂ）は（Ａ）のＢ−Ｂ線矢視図である。
【符号の説明】
【００１７】
１０          ブルワーク
１１          ブルワーク板
11a           板状部材
１２          ブルワークステー
Ｄ          甲板
【図１】
0003107481.tif 000003